(57)【要約】      （修正有）【課題】時間を多重に表示して使用者が有効期間と有効期間から経過した時間を同時に確認することができ、作動可否を迅速に把握することができる時間標示器を提供する。【解決手段】所定の面積を有する板状のベース１００；ベース１００の一側に備えられ、内部に充填空間を有し、充填空間内にインクが充填されるチャンバー２００；及びベース１００内に形成され、所定の長さを有するように伸びるストリップ３１０、３２０；を含み、ストリップ３１０、３２０の前端はチャンバー２００と連結され、チャンバー２００は外力の印加によって破裂する破断部を有し、破断部が破裂すれば、チャンバー２００内のインクが破断部を通じてストリップ３１０、３２０の内部に流動し、ベース１００は、ストリップ３１０、３２０上に形成され、ストリップ３１０、３２０の内部に流動したインクが外部から見えるように光透過性を有するウィンドウ１１０を有する。【選択図】図６
2018205296.tif 000002
【特許請求の範囲】
【請求項１】
所定の面積を有する板状のベース；
前記ベースの一側に備えられ、内部に充填空間を有し、前記充填空間内にインクが充填されるチャンバー；及び
前記ベース内に形成され、所定の長さを有するように伸びるストリップ；を含み、
前記ストリップの前端は前記チャンバーと連結され、
前記チャンバーは外力の印加によって破裂する破断部を有し、前記破断部が破裂すれば、前記チャンバー内のインクが前記破断部を通じて前記ストリップの内部に流動し、
前記ベースは、
前記ストリップ上に形成され、前記ストリップの内部に流動したインクが外部から見えるように光透過性を有するウィンドウを有し、
前記チャンバーは、
所定の立体状に構成されるとともに外力によって変形される素材で構成され、内部に前記充填空間が形成されたチャンバーボディー、及び
前記チャンバーボディー内の前記充填空間を第１充填空間及び第２充填空間に分割する隔壁を含み、
前記第１充填空間と第２充填空間はそれぞれ第１チャンバーと第２チャンバーを構成して、前記第１チャンバーと第２チャンバーが単一チャンバーボディー内に一体に構成され、
前記破断部は、前記第１チャンバーの下側に形成された第１破断部、及び前記第２チャンバーの下側に形成された第２破断部を含み、一度の操作で前記第１破断部と前記第２破断部が同時に破裂して前記第１チャンバーと前記第２チャンバーが同時に作動し、
前記ストリップは第１ストリップと第２ストリップを含み、前記第１ストリップは前記第１チャンバーと連結され、前記第２ストリップは前記第２チャンバーと連結され、
前記第１ストリップは前記第２ストリップ上に配置されるとともに上下方向に互いに重なるように配置され、
前記第２ストリップは前記第１ストリップより長い長さを有することにより、前記第２ストリップが前記第１ストリップの後端から所定の長さだけ伸びる、時間標示器。
【請求項２】
前記第１ストリップと第２ストリップの前端は長手方向において同一線上に位置する、請求項１に記載の時間標示器。
【請求項３】
前記第１チャンバー内に充填されたインクと前記第２チャンバー内に充填されたインクは互いに異なる色を有する、請求項１に記載の時間標示器。
【請求項４】
前記第１ストリップは、前記第２ストリップより速い速度でインクが流入及び拡散するように構成される、請求項１に記載の時間標示器。
【請求項５】
前記第１ストリップは、前記第２ストリップより大きな断面積を有する、請求項４に記載の時間標示器。
【請求項６】
前記第１チャンバーに充填されたインクは、前記第２チャンバーに充填されたインクより低い粘性を有する、請求項４に記載の時間標示器。
【請求項７】
前記チャンバーと前記ストリップとは互いに所定の距離だけ離隔し、
前記ベースには、
前記ストリップの前端とチャンバーの間に形成され、前記ストリップとチャンバーを連結することによって前記チャンバー内のインクが前記ストリップに流れるようにする流動路が備えられる、請求項１に記載の時間標示器。
【請求項８】
前記ウィンドウは、前記流動路内のインクが外部から見えるように前記流動路上まで伸びる、請求項７に記載の時間標示器。
【発明の詳細な説明】
【技術分野】
【０００１】
本発明は時間標示器に関するもので、より詳しくは、時間を多重に表示して使用者が有効期間と有効期間から経過した時間を同時に確認することができ、作動可否を迅速に把握することができる時間標示器に関するものである。
【背景技術】
【０００２】
飲食物、薬品のような製品、又は自動車用空気フィルターのような各種部品の場合、使用に適した有効期間がある。このような製品、部品などが製造時点又は使用開始時点から所定期間が経過した後には腐敗するとか、又はその機能を適切に発揮することができないから、製造時点又は使用時点から現在時点までの正確な時間のモニタリングが必要である。
【０００３】
このような課題を解決するために、所定の時間表示ストリップを有する各種時間標示器が開発された。一例として、所定の液体が所定の層内で移動することにより、層内の液体の移動距離によって使用時間を確認することができる時間標示器が開発された。
【０００４】
しかし、このような時間標示器は単に一つの時間のみを表示することができ、一定の有効期間のみを確認することができる問題点がある。例えば、自動車用フィルターのような消耗品の場合、使用者が随時確認せず、たとえ使用時間が一定期間経過しても致命的な問題は発生しないので、有効期間を経過した状態で使用を継続する場合が多い。
【０００５】
したがって、使用者がこのような自動車用フィルターに付着された時間標示器を確認したとき、有効期間までいくら残ったか、そして有効期間からいくら経過したかを明確に確認する必要がある。しかし、有効期間を経過した時間標示器の場合、有効期間からいくら時間が経過したかを確認しにくく、単に有効期間の到達又は経過のみが表示される場合が多い。このような場合、使用者は有効期間からどれくらい長い時間が経過したかを把握することができなくて問題発生可能性の有無を認識することができないことがあり得る。これは、車両の故障、部品不良、及び車内部環境の汚染などの問題につながることができる。
【０００６】
それだけでなく、従来の時間標示器は、作動が始まったかを速かに把握することができない場合もあった。
【０００７】
したがって、所定の有効期間の外に、有効期間から経過した時間まで同時に明確に把握することができ、作動可否を迅速に把握することができる時間標示器が必要である。
【先行技術文献】
【特許文献】
【０００８】
【特許文献１】韓国登録特許第１０−０９００１１０号公報
【発明の概要】
【発明が解決しようとする課題】
【０００９】
本発明は前述した問題を解決するためになされたもので、時間を多重に表示して使用者が有効期間と有効期間から経過した時間を同時に確認することができる時間標示器を提供することにその目的がある。
【００１０】
また、本発明の他の目的は、作動可否を迅速に確認することができる時間標示器を提供することである。
【００１１】
また、本発明のさらに他の目的は、製品が有効期間内にあるか又は有効期間を過ぎた状態であるかを容易に確認することができる時間表示器を提供することである。
【課題を解決するための手段】
【００１２】
本発明の一実施例による時間標示器は、所定の面積を有する板状のベース；前記ベースの一側に備えられ、内部に充填空間を有し、前記充填空間内にインクが充填されるチャンバー；及び前記ベース内に形成され、所定の長さを有するように伸びるストリップ；を含み、前記ストリップの前端は前記チャンバーと連結され、前記チャンバーは外力の印加によって破裂する破断部を有し、前記破断部が破裂すれば、前記チャンバー内のインクが前記破断部を通じて前記ストリップの内部に流動し、前記ベースは、前記ストリップ上に形成され、前記ストリップの内部に流動したインクが外部から見えるように光透過性を有するウィンドウを有する。
【００１３】
好ましくは、前記ストリップは第１ストリップと第２ストリップを含み、前記チャンバーは第１チャンバーと第２チャンバーを含み、前記第１ストリップは前記第１チャンバーと連結され、前記第２ストリップは前記第２チャンバーと連結されるように構成される。
【００１４】
好ましくは、前記第１ストリップは前記第２ストリップ上に配置されるとともに上下方向に互いに重なるように配置され、前記第２ストリップは前記第１ストリップより長い長さを有し、前記第２ストリップが前記第１ストリップの後端から所定の長さだけ伸びるように構成される。
【００１５】
好ましくは、前記第１ストリップと第２ストリップの前端は長手方向において同一線上に位置する。
【００１６】
好ましくは、前記第１チャンバー内に充填されたインクと前記第２チャンバー内に充填されたインクは互いに異なる色を有する。
【００１７】
好ましくは、前記第１ストリップは、前記第２ストリップより速い速度でインクが流入及び拡散するように構成される。
【００１８】
好ましくは、前記第１ストリップは前記第２ストリップより大きな断面積を有する。
【００１９】
好ましくは、前記第１チャンバーに充填されたインクは、前記第２チャンバーに充填されたインクより低い粘性を有する。
【００２０】
好ましくは、前記チャンバーと前記ストリップは互いに所定距離だけ離隔し、前記ベースには、前記ストリップの前端とチャンバーの間に形成され、前記ストリップとチャンバーを連結することによって前記チャンバー内のインクが前記ストリップに流れるようにする流動路が備えられる。
【００２１】
好ましくは、前記ウィンドウは、前記流動路内のインクが外部から見えるように前記流動路上まで伸びる。
【００２２】
好ましくは、前記チャンバーは、所定の立体状に構成されるとともに外力によって変形される素材で構成され、内部に前記充填空間が形成されたチャンバーボディー、及び前記チャンバーボディー内の前記充填空間を第１充填空間及び第２充填空間に分割する隔壁を含み、前記第１チャンバーと第２チャンバーのそれぞれは前記第１充填空間及び第２充填空間で構成されて単一チャンバーボディー内に一体に構成される。
【００２３】
好ましくは、前記破断部は、前記第１チャンバーの下側に形成された第１破断部及び前記第２チャンバーの下側に形成された第２破断部を含む。
【発明の効果】
【００２４】
本発明による時間標示器によれば、時間を多重に表示することにより、時間標示器が付着された製品の使用時間が分かるとともに、有効期間が経過した場合、有効期間からいくら時間が経過したかを把握することができる。よって、本発明による時間標示器が設置された部品などを見たとき、使用者が問題発生可能性及び交替必要性などを明確に認識して交替可否を決定することができる。
【図面の簡単な説明】
【００２５】
【図１】本発明の一実施例による時間標示器を示した図である。
【図２】図１のＸ−Ｘ線についての断面図である。
【図３】図１のＭ部の拡大図である。
【図４】図２のＮ部の拡大図である。
【図５】本発明の一実施例による時間標示器の結合構造を示した図である。
【図６】本発明の一実施例による時間標示器の使用状態を示した図である。
【発明を実施するための形態】
【００２６】
以下、添付図面に基づいて本発明による好適な実施例について説明する。
【００２７】
図１は本発明の一実施例による時間標示器１を示した図、図２は図１のＸ−Ｘ線についての断面図、図３は図１のＭ部の拡大図、図４は図２のＮ部の拡大図である。
【００２８】
本発明による時間標示器１は、ベース１００、チャンバー２００、ストリップ３００、及び流動路４００を含んでなることができる。
【００２９】
ベース１００は所定の面積、厚さ及び長さを有する板状の部材でなる。好ましくは、ベース１００は少なくとも一部が光透過性を有する素材で構成され、内部に所定の溝又はホールが形成された板状の部材が上下に積層される構成を有することができる。
【００３０】
ベース１００はウィンドウ１１０を含む。ウィンドウ１１０はベース１００の上面又は下面に形成され、光透過性を有するので内部が目で見られる部分である。前記ウィンドウ１１０は所定の長さに伸び、好ましくは直線状に伸びることができるが、必ずしもこれに限定されるものではない。ウィンドウ１１０は後述するストリップ３００及び流動路４００の上部に形成され、ストリップ３００及び流動路４００に流入したインクを使用者が視覚的に確認することができるように構成できる。
【００３１】
好ましくは、ベース１００のウィンドウ１１０の側部には、時間、日、月などの各種の時間の長さを表示することができる所定の表示を備えることができる。例えば、図１に示したように、１〜５までの数字が表示されることができる。もちろん、必ずしもこれに限定されるものではない。
【００３２】
チャンバー２００はベース１００の長手方向の一側に備えられ、内部にインクが充填される部材である。ここで、インクと言うのは必ずしも通常的に認識されるインク（ｉｎｋ）に限定されなくて、所定の有色、無色の液体材料であって、所定の流動性及び粘性を有すれば何でも使える。チャンバー２００はベース１００の上面に備えられ、ベース１００に備えられたウィンドウ１１０と同一面に位置することができるが、チャンバー２００がベース１００の下面に位置するとともにウィンドウ１１０が上面に位置するもののように、チャンバー２００とウィンドウ１１０が互いに反対に位置することもできるが、必ずしもこれに限定されるものではない。
【００３３】
また、チャンバー２００はベース１００と別個に又は一体に構成されることもできる。すなわち、ベース１００の一部が所定の空間を有するように脹れ上がった形態にチャンバー２００を構成することもできるが、構成方法は限定されない。
【００３４】
好ましくは、チャンバー２００は、チャンバーボディー２０２、充填空間２０４、隔壁２０６及び破断部２３０を含む。
【００３５】
チャンバーボディー２０２は所定の立体形状の密閉構造物でなる。チャンバーボディー２０２は使用者が手で押しつぶすことができるように外力によって変形可能な素材で構成できる。好ましくは、チャンバーボディー２０２は半球形の形状を有することができる。また、チャンバーボディー２０２は適切な外力によって変形可能な素材、つまり合成樹脂、薄プラスチックなどの素材で構成できる。
【００３６】
充填空間２０４はチャンバーボディー２０２内に形成される。充填空間２０４内にはインクが充填されることができる。前述したように、チャンバー２００が変形可能に構成されることにより、チャンバー２００が変形して破裂すれば、充填空間２０４の容積が減少することができる。
【００３７】
隔壁２０６は充填空間２０４内に備えられて充填空間２０４を分割する。好ましくは、隔壁２０６は充填空間２０４を２領域に分割することができるが、必ずしもこれに限定されない。
【００３８】
チャンバーボディー２０２内の充填空間２０４は隔壁２０６によって分割されて第１充填空間２０４と第２充填空間２０４に分けられる。前記第１充填空間２０４と第２充填空間２０４はそれぞれ第１チャンバー２１０と第２チャンバー２２０を構成することができる。すなわち、第１チャンバー２１０と第２チャンバー２２０は単一チャンバーボディー２０２内の充填空間２０４が隔壁２０６によって分割され、単一チャンバーボディー２０２内に一体に構成できる。一方、図面には隔壁２０６がチャンバー２００を左右に横切るように配置されるものとして示されているが、必ずしもこれに限定されるものではなく、前後方向に横切ることも可能であり、多様な形態を有することができる。また、チャンバー２００が外力によって変形される場合にも、第１チャンバー２１０内のインクと第２チャンバー２２０内のインクが互いに混じらないように、隔壁２０６は破裂するとか貫通されることがない構成を有することができる。
【００３９】
破断部２３０はチャンバー２００の下部に形成され、外力によって破裂することができる部分である。例えば、破断部２３０は他の部分より薄い厚さを有する部分で構成できる。破断部２３０は複数が形成されることができ、第１チャンバー２１０の下部には第１破断部２３２が形成され、第２チャンバー２２０の下部には第２破断部２３４が形成されることができる。外力によってチャンバー２００の形態が変わり、破断部２３０が破裂することができ、破断部２３０が破裂することにより、充填空間２０４内に充填されていたインクが外部に流出することができる。ここで、前述したように、隔壁２０６は破裂するとか貫通されないように構成されるので、第１チャンバー２１０と第２チャンバー２２０内に充填されたインクが互いに混合されない。
【００４０】
好ましくは、第１チャンバー２１０内に充填されるインクと第２チャンバー２２０内に充填されるインクは互いに異なる色を有することができる。例えば、第１チャンバー２１０には青色インクが充填され、第２チャンバー２２０には赤色インクが充填されることができる。
【００４１】
一方、図面には第１チャンバー２１０より第２チャンバー２２０が下方に大きな深みを有するものとして示されているが、必ずしもこれに限定されるものではない。
【００４２】
ストリップ３００はベース１００内に形成され、所定の長さに伸びる空間で構成される。
【００４３】
一実施形態によれば、好ましくは、ストリップ３００は第１ストリップ３１０と第２ストリップ３２０を含んでなることができる。
【００４４】
第１ストリップ３１０は所定の上下幅、左右幅、及び長さを有するように伸びる空間で構成できる。好ましくは、第１ストリップ３１０は毛細管現象が発生するのに適するように小さな上下幅を有することができる。また、好ましくは、第１ストリップ３１０は直線状に伸びる構成を有することができる。第１ストリップ３１０の前端はチャンバー２００と隣り合うように位置し、チャンバー２００から所定距離で離隔することができる。
【００４５】
第１ストリップ３１０と同様に、第２ストリップ３２０は、上下幅、左右幅及び長さを有するように伸びる空間で構成できる。また、好ましくは、第２ストリップ３２０も毛細管現象が発生するのに適するように小さな上下幅を有することができる。また、第２ストリップ３２０の前端もチャンバー２００と隣り合うように位置し、チャンバー２００から所定距離で離隔することができる。
【００４６】
好ましくは、第１ストリップ３１０と第２ストリップ３２０は、それぞれに流入したインクが同じ速度で拡散して進行するように同一の上下幅及び左右幅を有することができる。好ましくは、第２ストリップ３２０は第１ストリップ３１０より長い長さを有することができる。また、第１ストリップ３１０と第２ストリップ３２０の前端は長手方向において同一線上に位置することができる。すなわち、長手方向にチャンバー２００と第１ストリップ３１０間の距離はチャンバー２００と第２ストリップ３２０間の距離と同一であり得る。よって、第２ストリップ３２０の後端は第１ストリップ３１０の後端より所定の長さだけ長く伸びることができる。ここで、長手方向の前端とはチャンバー２００と隣り合う部分を意味する。
【００４７】
第２ストリップ３２０は第１ストリップ３１０の下側に位置することができる。また、好ましくは、第１ストリップ３１０と第２ストリップ３２０は全体として類似した形状を有することができる。例えば、図面に示したように、第１ストリップ３１０と第２ストリップ３２０は一直線状に伸びる形状を有することができる。他の例として、第１ストリップ３１０が曲線形態を有すれば、第２ストリップ３２０も第１ストリップ３１０と同様に曲線形態を有することができる。したがって、第１ストリップ３１０と第２ストリップ３２０は上下方向に重なることができる。ただ、第１ストリップ３１０と第２ストリップ３２０は互いに内部の空間が密閉して液体などが交換されないように構成できる。したがって、第１ストリップ３１０と第２ストリップ３２０の間にはベース１００の少なくとも一部が遮断壁のように形成されている。
【００４８】
前記では第１ストリップ３１０と第２ストリップ３２０の内部が空いているものとして説明したが、必ずしもこれに限定されるものではない。例えば、第１ストリップ３１０と第２ストリップ３２０の内部にはインクが拡散するように適切な素材の紙などの所定の部材などが備えられることができる。
【００４９】
流動路４００はベース１００に形成された所定の通路であって、前記ストリップ３００の前端とチャンバー２００を連結する連結通路として構成できる。
【００５０】
流動路４００は第１流動路４１０と第２流動路４２０を含むことができる。第１流動路４１０は第１チャンバー２１０と第１ストリップ３１０を連結し、第２流動路４２０は第２チャンバー２２０と第２ストリップ３２０を連結することができる。
【００５１】
好ましくは、第１流動路４１０の前端は第１チャンバー２１０の第１破断部２３２の下側に連結され、第２流動路４２０の前端は第２チャンバー２２０の第２破断部２３４の下側に連結されることができる。したがって、チャンバー２００が外力を受けることによって第１破断部２３２と第２破断部２３４が破裂すれば、チャンバー２００内のインクがそれぞれ第１破断部２３２と第２破断部２３４を通じて第１流動路４１０と第２流動路４２０内に流入することができる。
【００５２】
また、第１流動路４１０の後端は第１ストリップ３１０の前端の一側と連結され、第２流動路４２０の後端は第２ストリップ３２０の前端の他側と連結されることができる。例えば、第１流動路４１０と第２流動路４２０は、図面に示したように、左右方向に一側及び他側にそれぞれ配置されるとともに上下方向に重ならないように配置されることができる。
【００５３】
好ましくは、第１流動路４１０と第２流動路４２０は、チャンバー２００が外力を受けてチャンバー２００内のインクが流出すれば第１流動路４１０と第２流動路４２０の内部に迅速に流入することができるように、適切な内部容積を有することができる。すなわち、チャンバー２００内のインクが流出すれば、破断部２３０を通じて流動路４００内にインクが直ぐに流入するように、流動路４００は、インクの粘性にもかかわらずインクが迅速に流動することができる構造を有することができる。このために、流動路４００が毛細管で構成されるとかあるいは大きな容積を有するなど、多様な構造を取ることができる。
【００５４】
また、前述したように、ベース１００に形成されたウィンドウ１１０はストリップ３００の上部及び流動路４００の上部にわたって形成されることができる。したがって、図面に示したように、ストリップ３００が直線状に構成されれば、ウィンドウ１１０はストリップ３００と同様に直線状に構成できる。ここで、ウィンドウ１１０の後端はストリップ３００の後端と同一の位置に位置することができ、ウィンドウ１１０の前端はストリップ３００の前端より前方に伸びて流動路４００の少なくとも一部まで伸びることができる。したがって、チャンバー２００内のインクが流出して流動路４００に流入すれば、外部からベース１００に形成されたウィンドウ１１０を通じてインクが流動路４００に流入したかを目で確認することができるように構成されているので、チャンバー２００が外力によって正常に破裂したかを確認することができる。
【００５５】
図５は本発明の一実施例による時間標示器１の結合構造を示した図である。ただ、本発明による時間標示器１は必ずしも図５に示したような構造を有するものではなく、一例を示したものである。
【００５６】
本発明の一実施例による時間標示器１のベース１００は複数の薄い厚さを有する板状ボディーで構成できる。板状ボディーは、上から順に、第１ボディー１０、第２ボディー２０、第３ボディー３０、第４ボディー４０及び第５ボディー５０を含んでなることができる。
【００５７】
第１ボディー１０はベース１００の上面を構成する。第１ボディー１０には前記ウィンドウ１１０が形成されている。一例によれば、第１ボディー１０にはチャンバー２００が結合することができる第１ホール１２が形成されることができる。一方、チャンバー２００とベース１００が一体に構成されることも可能である。
【００５８】
第２ボディー２０には第１ストリップ３１０及び第１流動路４１０が形成されている。第１流動路４１０の前端は第１チャンバー２１０の下側部分に位置する。また、第１ストリップ３１０はウィンドウ１１０の下側部分に位置する。また、第１流動路４１０の前方部分にはチャンバー２００の第２チャンバー２２０が連通することができる第２ホール２２が形成されることができる。
【００５９】
第３ボディー３０にはチャンバー２００の第２チャンバー２２０が連通することができる第３ホール３２が形成されている。第３ボディー３０は第１ストリップ３１０と第２ストリップ３２０を互いに区画することができる壁部の役目をすることができる。
【００６０】
第４ボディー４０には第２ストリップ３２０及び第２流動路４２０が形成されている。第２流動路４２０の前端は第２チャンバー２２０の下側部分に位置する。第２チャンバー２２０は前記第２ホール２２及び第３ホール３２を通じて第２流動路４２０の前端に連結されている。
【００６１】
第５ボディー５０は第４ボディー４０の下側に位置し、ベース１００の底面を構成する。一方、好ましくは、第５ボディー５０の下面には透明な両面テープなどの接着剤が適用されることができる。したがって、本発明による時間標示器を他の所に付着させることができる。
【００６２】
好ましくは、第２ボディー２０及び第３ボディー３０は光透過性を有する素材を含むことができる。したがって、第２ストリップ３２０及び第２流動路４２０内のインクが第２ボディー２０、第３ボディー３０及び第１ボディー１０のウィンドウ１１０を通じて外部から確認することができる。また、第１ボディー１０も光透過性を有する素材で構成され、ウィンドウ１１０以外の部分が所定のカバー、ステッカーなどによってカバーされることも可能である。
【００６３】
また、前述したように、第１ストリップ３１０の前端と第２ストリップ３２０の前端はＢのように同一線上に位置することができる。また、ウィンドウ１１０はＡのように第１ストリップ３１０と第２ストリップ３２０の前端より前方に伸びて第１流動路４１０及び第２流動路４２０の少なくとも一部まで伸びることができる。
【００６４】
図６は本発明の一実施例による時間標示器１の使用状態を示した図である。以下では本発明による時間標示器１の作動について説明する。
【００６５】
使用者がチャンバー２００を押して圧迫すれば、チャンバー２００に備えられた破断部２３０が破裂する。破断部２３０が破裂すれば、チャンバー２００内に充填されていたインクが破断部２３０に連結された流動路４００を通じて流出する。この時、第１チャンバー２１０内に充填されたインクは第１流動路４１０に流動し、第２チャンバー２２０内に充填されたインクは第２流動路４２０に流動する。この時、前述したように、流動路４００は適切な容積を有するので、チャンバー２００内のインクが流動路４００内に直ぐに流入することができる。また、ベース１００に形成されたウィンドウ１１０が第１流動路４１０と第２流動路４２０の上側まで伸びているので、チャンバー２００内のインクが流動路４００内に流入したことを直ぐに確認することができる。したがって、チャンバー２００内のインクが流出して時間標示器１が適切に動作し始めたかを迅速に確認することができる。
【００６６】
前述したように、流動路４００はストリップ３００に連結され、ストリップ３００は毛細管現象を引き起こすのに適した構造を持っているので、流動路４００内に流出したインクはストリップ３００に流入することになる。よって、第１流動路４１０内に流出したインクは第１ストリップ３１０に流入し、第２流動路４２０内に流出したインクは第２ストリップ３２０に流入する。
【００６７】
このように、ストリップ３００内にインクが流入し、ベース１００に形成されたウィンドウ１１０を通じてストリップ３００の内部のインクが見られることにより、ストリップ３００内に流入したインクの長さから動作時点から現在時点までの時間を確認することができる。
【００６８】
ここで、第１ストリップ３１０と第２ストリップ３２０の前端は同一線上に位置するので、第１ストリップ３１０にインクが流入する時点と第２ストリップ３２０にインクが流入する時点が同一であり得る。
【００６９】
また、第１ストリップ３１０は第２ストリップ３２０上に位置するので、第１ストリップ３１０の後端までインクが流入する時点まで第２ストリップ３２０内のインクは第１ストリップ３１０内のインクによって遮られる。しかし、第１ストリップ３１０の後端までインクが到逹した時点以後には、第１ストリップ３１０の後端に位置する第２ストリップ３２０内のインクが見えることになる。したがって、第１ストリップ３１０の最終時点からどのくらいの時間が経過したかを確認することができる。
【００７０】
本発明による時間標示器１によれば、時間表示が二重になされることができる。すなわち、第１ストリップ３１０による時間表示と第２ストリップ３２０による時間表示がそれぞれなされ、第１ストリップ３１０の最終時点からどのくらいの時間が経過したかを第２ストリップ３２０によって把握することができる。
【００７１】
したがって、例えば、適正有効期間、及び有効期間から経過した時間をそれぞれ表示することができる。例えば、本発明による時間標示器１が所定の自動車用フィルターに取り付けられ、当該自動車用フィルターが約３ヶ月の有効期間を有する場合、前記第１ストリップ３１０は３ヶ月までの時間を表示する長さを有するようにし、前記第２ストリップ３２０は５ヶ月までの時間を表示する長さを有するようにすることができる。これにより、３ヶ月までは第１ストリップ３１０による時間表示を確認することができ、３ヶ月が経過した後には第２ストリップ３２０によって有効期間である３ヶ月以後にどのくらいの時間が経過したかを確認することができる。したがって、使用者は有効期間からどのくらいの時間が経過したかを正確に確認し、有効期間から長い時間が経ったかを認識して、自動車用フィルターの交替必要性を迅速に決定することができる。
【００７２】
特に、前述したように、第１チャンバー２１０には青色インクが充填され、第２チャンバー２２０には赤色インクが充填される場合、使用開始から３ヶ月が経つと青色インクの後端に赤色インクが見えることになり、使用者は赤色インクが見えることによって使用期間が経ったことを明確に認識することができるようになる。
【００７３】
また、本発明による時間標示器１は流動路４００を有するとともにベース１００のウィンドウ１１０が流動路４００の少なくとも一部までわたっているので、チャンバー２００からインクが流出したかを直ぐに把握することができる。したがって、時間標示器１が適切に作動したかを迅速に確認することができる。また、前記流動路４００は第１流動路４１０と第２流動路４２０を有するとともに第１流動路４１０と第２流動路４２０は互いに重ならないように位置することにより、第１チャンバー２１０と第２チャンバー２２０内のインクが全部流出したかを明確に確認することができる。
【００７４】
また、チャンバー２００は単一チャンバーボディー２０２とチャンバーボディー２０２内の充填空間２０４を区画する隔壁２０６とを有し、相異なるインクを収容する第１チャンバー２１０と第２チャンバー２２０が一体に構成されることにより、使用者がそれぞれのチャンバー２００を作動させる必要なしに、一度の操作のみで前記第１破断部２３２と前記第２破断部２３４が同時に破裂して第１チャンバー２１０と第２チャンバー２２０が同時に作動することができる。
【００７５】
ここで、自動車用フィルターに使われる場合のみを説明したが、必ずしもこれに限定されるものではないのは明らかである。
【００７６】
以下では本発明の第２実施例による時間標示器について説明する。
【００７７】
本発明の第２実施例による時間標示器は、前記第１実施形態で説明したように、ベース１００、チャンバー２００、ストリップ３００及び流動路４００を含む。前記ベース１００、チャンバー２００、ストリップ３００及び流動路４００の構造は前記第１実施形態で説明したものと大同小異であるが、第１ストリップ３１０が前記第１実施形態と異なる構造を有する。
【００７８】
本発明の第２実施形態による時間標示器の第１ストリップ３１０は、第１チャンバー２１０からインクが流入すれば速かにインクで満たされるように構成される。すなわち、第１実施形態では時間の経過につれてインクの流入長が長くなるように構成されたが、第２実施形態では、第１チャンバー２１０からインクが流出すれば直ぐに第１ストリップ３１０の全体が第１チャンバー２１０から流出したインクで満たされるようになる。ここで、直ぐとは時間間隔が全然ない場合のみを限定するものではなく、約１〜２分程度の時間間隔を有することも含む。
【００７９】
これにより、第１ストリップ３１０はインクが迅速に充填されるのに適した上下幅を有することができる。例えば、第１ストリップ３１０は第２ストリップ３２０に比べて大きな断面積を有することができる。若しくは、これとは異なる構成を有することもできる。
【００８０】
若しくは、第１チャンバー２１０に充填されたインクが迅速に第１ストリップ３１０に流入するのに適するように適切に低い粘性及び高い流動性を有することができる。したがって、第１チャンバー２１０に充填されたインクは第２チャンバー２２０に充填されたインクより低い粘性を有することができる。
【００８１】
もちろん、第１ストリップ３１０が第２ストリップ３２０に比べて大きな上下幅を有するとともに第１チャンバー２１０内のインクが第２チャンバー２２０内のインクより低い粘性を有することも可能である。
【００８２】
第２ストリップ３２０は、第１実施形態と同様に、毛細管現象が発生するのに適した小さな上下幅を有する。したがって、第１実施形態と同様に、第２ストリップ３２０内には時間経過につれてインクが流動することになる。
【００８３】
このような第２実施形態による時間標示器によれば、チャンバー２００内のインクが流出することによって第１ストリップ３１０の内部がインクで迅速に満たされる。よって、第２ストリップ３２０内に流入したインクが第１ストリップ３１０の後端を越えて進行するまでは第１ストリップ３１０内のインクのみが見える。すなわち、第１ストリップ３１０によって表示される流通期限又は使用期限内には第２ストリップ３２０内のインクが第１ストリップ３１０内のインクによって遮られて、第１ストリップ３１０に充填されたインクのみが表示される。時間の経過によって、流通期限又は使用期限が経過すれば、第２ストリップ３２０に流入したインクが第１ストリップ３１０より後方に伸びることになる。よって、流通期限又は使用期限からの経過時間を便利に把握することができる。
【００８４】
これにより、流通期限又は使用期限内には第１ストリップ３１０内のインクのみが見え、流通期限又は使用期限を経過した後から第２ストリップ３２０内のインクが見えることにより、流通期限又は使用期間以内であるか、及び流通期限又は使用期限からの経過時間を明瞭に把握することができる。
【００８５】
以上では本発明の好適な実施例について示して説明したが、本発明は上述した特定の実施例に限定されなく、特許請求の範囲で請求する本発明の要旨を逸脱することなしに当該発明が属する技術分野で通常の知識を有する者によって多様な変形実施が可能であるのはもちろんのこと、このような変形実施例は本発明の技術的思想又は見込みから個別的に理解されてはいけないであろう。
【符号の説明】
【００８６】
１      時間標示器
１０    第１ボディー
１２    第１ホール
２０    第２ボディー
２２    第２ホール
３０    第３ボディー
３２    第３ホール
４０    第４ボディー
５０    第５ボディー
１００  ベース
１１０  ウィンドウ
２００  チャンバー
２０２  チャンバーボディー
２０４  充填空間
２０６  隔壁
２１０  第１チャンバー
２２０  第２チャンバー
２３０  破断部
２３２  第１破断部
２３４  第２破断部
３００  ストリップ
３１０  第１ストリップ
３２０  第２ストリップ
４００  流動路
４１０  第１流動路
４２０  第２流動路
【図１】
2018205296.tif 000003
【図２】
2018205296.tif 000004
【図３】
2018205296.tif 000005
【図４】
2018205296.tif 000006
【図５】
2018205296.tif 000007
【図６】
2018205296.tif 000008